(57)【要約】【課題】前胴回り部における横方向の他方側の端部を他方側且つ上方へ引っ張る際に、同端部を手で掴み易くする。【解決手段】縦方向と横方向と前後方向とを有した吸収性物品１である。横方向に沿った前胴回り部２０と、前胴回り部２０と共同して、縦方向の上側に胴回り開口ＢＨを形成するための横方向に沿った後胴回り部３０と、これら２０，３０よりも下方に位置しつつ、これら２０，３０の間に設けられた股下部１０とを備える。前胴回り部２０の横方向の一方側の端部２０ｅＷ１と後胴回り部３０の一方側の端部３０ｅＷ１とは接合されている。後胴回り部３０における横方向の他方側の端部３０ｅＷ２には、前胴回り部２０に係止可能な係止部４０が設けられている。前胴回り部２０における他方側の端部２０ｅＷ２は、同端部２０ｅＷ２の縦方向の中央部２０ｅＷ２ｃよりも他方側に突出した部分２０ｅＷ２ｐａを、中央部２０ｅＷ２ｃよりも上側の位置に有する。【選択図】図３
2018102493.tif 000002
【特許請求の範囲】
【請求項１】
縦方向と、前記縦方向と交差する横方向と、前記縦方向及び前記横方向と直交する前後方向と、を有した吸収性物品であって、
前記横方向に沿った前胴回り部と、
前記前胴回り部と共同して、前記縦方向の上側に胴回り開口を形成するための前記横方向に沿った後胴回り部と、
前記前胴回り部及び前記後胴回り部よりも前記縦方向の下方に位置しつつ、前記前胴回り部と前記後胴回り部との間に設けられた股下部と、を備え、
前記前胴回り部における前記横方向の一方側の端部と前記後胴回り部における前記横方向の一方側の端部とは、接合部で接合されており、
前記後胴回り部における前記横方向の他方側の端部には、前記前胴回り部における前記前後方向の前側の面に係止可能な係止部が設けられており、
前記前胴回り部における前記他方側の端部は、当該他方側の端部における前記縦方向の中央部よりも前記横方向の前記他方側に突出した部分を、前記中央部よりも前記縦方向の上側の位置に有していることを特徴とする吸収性物品。
【請求項２】
請求項１に記載の吸収性物品であって、
前記前胴回り部における前記他方側の端部は、前記縦方向の前記中央部よりも前記縦方向の下側の位置に、前記中央部よりも前記横方向の前記他方側に突出した第２部分を有していることを特徴とする吸収性物品。
【請求項３】
請求項２に記載の吸収性物品であって、
前記前胴回り部における前記他方側の端部は、前記突出した部分及び前記突出した第２部分を一つずつ有していることを特徴とする吸収性物品。
【請求項４】
請求項１乃至３の何れかに記載の吸収性物品であって、
前記前胴回り部は、前記係止部が係止されるべき係止対象部分を有し、
前記前胴回り部において前記係止対象部分よりも前記一方側の部分は、前記横方向の伸縮性を有した伸縮領域を備えていることを特徴とする吸収性物品。
【請求項５】
請求項４に記載の吸収性物品であって、
前記前胴回り部において前記係止対象部分が設けられた部分は、前記伸縮領域よりも前記横方向の伸縮性が低い低伸縮領域であることを特徴とする吸収性物品。
【請求項６】
請求項１乃至５の何れかに記載の吸収性物品であって、
前記突出した部分のうちで最も前記他方側に突出した最大突出部分は、前記前胴回り部における前記他方側の前記端部の前記縦方向の上端よりも下側に位置していることを特徴とする吸収性物品。
【請求項７】
請求項６に記載の吸収性物品であって、
前記最大突出部分及びその周辺部分の輪郭は、曲線で形成されていることを特徴とする吸収性物品。
【請求項８】
請求項１乃至７の何れかに記載の吸収性物品であって、
前記後胴回り部において前記股下部よりも前記他方側の部分は、前記横方向の伸縮性を有した伸縮領域を備えており、
前記係止部が前記前胴回り部に係止された状態においては、前記後胴回り部の前記伸縮領域が、前記前胴回り部に重なることを特徴とする吸収性物品。
【請求項９】
請求項１乃至８の何れかに記載の吸収性物品であって、
前記係止部は、雄材が係止可能な雌材を有し、
前記前胴回り部における前記前後方向の前側の面には、前記雌材が係止されるべき係止対象部分として前記雄材が設けられており、
前記雌材を前記雄材に係止した状態では、前記後胴回り部が前側から前記前胴回り部に重なった状態となっていることを特徴とする吸収性物品。
【請求項１０】
請求項１乃至９の何れかに記載の吸収性物品であって、
前記前後方向から見た場合に、前記前胴回り部において前記股下部と前記前後方向に重なる部分には、前記係止部が係止されるべき係止対象部分が設けられていることを特徴とする吸収性物品。
【請求項１１】
請求項１乃至１０の何れかに記載の吸収性物品であって、
前記突出した部分の中心線は、前記他方側且つ上方を向いていることを特徴とする吸収性物品。
【請求項１２】
請求項１乃至１１の何れかに記載の吸収性物品であって、
前記後胴回り部における前記他方側の端部には、前記後胴回り部とは別部材として前記係止部が接合部で接合されていて、当該係止部は、前記端部よりも前記他方側に突出しており、
前記前胴回り部の前記突出した部分において前記中央部よりも前記他方側に位置する部分の前記横方向の大きさは、前記後胴回り部の前記係止部において前記接合部よりも前記他方側に位置する部分の前記横方向の大きさよりも小さいことを特徴とする吸収性物品。
【発明の詳細な説明】
【技術分野】
【０００１】
本発明は、使い捨ておむつ等の吸収性物品に関する。
【背景技術】
【０００２】
従来、排泄物を吸収する吸収性物品として所謂テープ型おむつやパンツ型おむつ等の使い捨ておむつが知られている。また、このテープ型おむつやパンツ型おむつが抱える問題、すなわち、両脚をばたつかせる乳幼児等に履かせるのが難しいという問題を解決可能なおむつとして、特許文献１には所謂片開きパンツ型おむつが開示されている。
【０００３】
かかるおむつ１’は、図１に示すように、横方向に沿った前胴回り部２０’と、前胴回り部２０’と共同して、横方向と交差する縦方向の上側に胴回り開口ＢＨ’を形成するための横方向に沿った後胴回り部３０’と、前胴回り部２０’及び後胴回り部３０’よりも縦方向の下方に位置しつつ、前胴回り部２０’と後胴回り部３０’との間に設けられた股下部１０’と、を有している。また、前胴回り部２０’における横方向の一方側の端部２０ｅＷ１’と後胴回り部３０’における横方向の一方側の端部３０ｅＷ１’とは、接合部ｊ１’で接合されていて、これにより、当該一方側には脚回り開口ＬＨ１’が一つだけ形成されている。更に、後胴回り部３０’における横方向の他方側の端部３０ｅＷ２’には、前胴回り部２０’に係止可能な係止部４０’が設けられている。
【先行技術文献】
【特許文献】
【０００４】
【特許文献１】特開２００８−１０４８７４号公報
【発明の概要】
【発明が解決しようとする課題】
【０００５】
かかるおむつ１’の着用者への装着は、次のようにしてなされる。先ず、図２Ａに示すように、着用者の横方向の一方の脚ＭＬ１’を一方側の上記脚回り開口ＬＨ１’に入れる。そして、当該脚回り開口ＬＨ１’の一部をなす股下部１０’が上記一方の脚ＭＬ１’の鼠蹊部ＭＬ１Ｐ’に当たるように着用者の股間（股下）の方へ同おむつ１’を引き上げる。そうしたら、図２Ｂに示すように、後胴回り部３０’における他方側の端部３０ｅＷ２’の係止部４０’を前胴回り部２０’に係止する。すると、これにより、他方の脚ＭＬ２’にも、これを覆うように他方側の脚回り開口ＬＨ２’が形成されるとともに、着用者の胴回りを覆うように胴回り開口ＢＨ’が形成されて、以上をもって、着用者へのおむつ１’の装着作業が終了する。
【０００６】
但し、この係止部４０’を前胴回り部２０’に係止する際には、他方の脚ＭＬ２’の鼠蹊部ＭＬ２Ｐ’での漏れ防止の観点から、図２Ａの如く当該他方の脚ＭＬ２’の鼠蹊部ＭＬ２Ｐ’に股下部１０’が当接するように、前胴回り部２０’における他方側の端部２０ｅＷ２’及び後胴回り部３０’における他方側の端部３０ｅＷ２’の係止部４０’をそれぞれ各手で掴んで、図２Ａ中の矢印の方向に、すなわち横方向の他方側且つ上方に引っ張る必要があるが、この点につき、特許文献１に記載のおむつ１’の前胴回り部２０’における他方側の端部２０ｅＷ２’は、そのような横斜め上方向の引っ張り操作に適した形状になっていない。
すなわち、この特許文献１では、同図２Ａに示すように当該他方側の端部２０ｅＷ２’の形状が、縦方向に沿った直線状となっている。そのため、単に横方向の他方側へ引っ張る場合には手で掴み易いかもしれないが、かかる横方向の他方側への引っ張りと同時に上方へも引っ張る場合には、かかる直線状の形状よりももっと適した形状があるものと考えられる。
【０００７】
本発明は、上記のような問題に鑑みてなされたものであって、その目的は、吸収性物品を着用者に装着すべく、前胴回り部における横方向の他方側の端部を他方側且つ上方へ引っ張る際に、当該端部を手で掴み易くすることにある。
【課題を解決するための手段】
【０００８】
上記目的を達成するための主たる発明は、
縦方向と、前記縦方向と交差する横方向と、前記縦方向及び前記横方向と直交する前後方向と、を有した吸収性物品であって、
前記横方向に沿った前胴回り部と、
前記前胴回り部と共同して、前記縦方向の上側に胴回り開口を形成するための前記横方向に沿った後胴回り部と、
前記前胴回り部及び前記後胴回り部よりも前記縦方向の下方に位置しつつ、前記前胴回り部と前記後胴回り部との間に設けられた股下部と、を備え、
前記前胴回り部における前記横方向の一方側の端部と前記後胴回り部における前記横方向の一方側の端部とは、接合部で接合されており、
前記後胴回り部における前記横方向の他方側の端部には、前記前胴回り部における前記前後方向の前側の面に係止可能な係止部が設けられており、
前記前胴回り部における前記他方側の端部は、当該他方側の端部における前記縦方向の中央部よりも前記横方向の前記他方側に突出した部分を、前記中央部よりも前記縦方向の上側の位置に有していることを特徴とする吸収性物品である。
本発明の他の特徴については、本明細書及び添付図面の記載により明らかにする。
【発明の効果】
【０００９】
本発明によれば、吸収性物品を着用者に装着すべく、前胴回り部における横方向の他方側の端部を他方側且つ上方へ引っ張る際に、当該端部を手で掴み易くなる。
【図面の簡単な説明】
【００１０】
【図１】片開きパンツ型おむつ１’の一例の概略斜視図である。
【図２】図２Ａ及び図２Ｂは、片開きパンツ型おむつ１’の装着手順の概略説明図である。
【図３】本実施形態の片開きパンツ型おむつ１の概略斜視図である。
【図４Ａ】展開状態のおむつ１を着用者の非肌側から見た概略平面図である。
【図４Ｂ】図４Ａ中のＢ−Ｂ断面図である。
【図５】図５Ａ乃至図５Ｃは、おむつ１の装着手順の概略説明図である。
【図６】図４Ａ中の前胴回り部２０の概略拡大図である。
【図７】前胴回り部２０における横方向の他方側の端部２０ｅＷ２が、上端２０ｅＷ２ｅｕにおいて最も横方向の他方側に突出した例の概略説明図である。
【図８】前胴回り部２０における横方向の他方側の端部２０ｅＷ２に、他方側に突出した第２部分２０ｅＷ２ｐｂを有しない例の概略説明図である。
【図９】図９Ａ及び図９Ｂは、前胴回り部２０の前側の面に係止対象部分５０として不織布の雌材５５を設ける一方、後胴回り部３０の係止部４０として雄材４５を設けた場合に生じる不具合の概略説明図である。
【発明を実施するための形態】
【００１１】
本明細書及び添付図面の記載により、少なくとも以下の事項が明らかとなる。
縦方向と、前記縦方向と交差する横方向と、前記縦方向及び前記横方向と直交する前後方向と、を有した吸収性物品であって、
前記横方向に沿った前胴回り部と、
前記前胴回り部と共同して、前記縦方向の上側に胴回り開口を形成するための前記横方向に沿った後胴回り部と、
前記前胴回り部及び前記後胴回り部よりも前記縦方向の下方に位置しつつ、前記前胴回り部と前記後胴回り部との間に設けられた股下部と、を備え、
前記前胴回り部における前記横方向の一方側の端部と前記後胴回り部における前記横方向の一方側の端部とは、接合部で接合されており、
前記後胴回り部における前記横方向の他方側の端部には、前記前胴回り部における前記前後方向の前側の面に係止可能な係止部が設けられており、
前記前胴回り部における前記他方側の端部は、当該他方側の端部における前記縦方向の中央部よりも前記横方向の前記他方側に突出した部分を、前記中央部よりも前記縦方向の上側の位置に有していることを特徴とする吸収性物品である。
【００１２】
このような吸収性物品によれば、前胴回り部における他方側の端部は、同端部における縦方向の中央部よりも横方向の他方側に突出した部分を、当該中央部よりも縦方向の上側の位置に有している。よって、当該端部を他方側且つ上方へ引っ張る際に、同端部を手で掴み易くなる。
また、前胴回り部に後胴回り部の係止部を係止した状態においては、後胴回り部は、前胴回り部における上記他方側の端部に前側から重なった状態となるが、その際に、当該他方側の端部が上記突出した部分を有していない場合と比べて、当該突出した部分の面積分、当該他方側の端部は、後胴回り部との接触面積を大きく確保することができる。そして、これにより、上記係止部の係止後に起こり得る前胴回り部と後胴回り部との位置ずれを有効に防ぐことができる。
【００１３】
かかる吸収性物品であって、
前記前胴回り部における前記他方側の端部は、前記縦方向の前記中央部よりも前記縦方向の下側の位置に、前記中央部よりも前記横方向の前記他方側に突出した第２部分を有しているのが望ましい。
【００１４】
このような吸収性物品によれば、前胴回り部における他方側の端部は、横方向の他方側に突出した第２部分を、当該中央部よりも縦方向の下側に有している。よって、当該他方側の端部は、後胴回り部との接触面積をより大きく確保することができて、これにより、上記係止部の係止後に起こり得る前胴回り部と後胴回り部との位置ずれをより有効に防ぐことができる。
【００１５】
かかる吸収性物品であって、
前記前胴回り部における前記他方側の端部は、前記突出した部分及び前記突出した第２部分を一つずつ有しているのが望ましい。
【００１６】
このような吸収性物品によれば、前胴回り部における他方側の端部は、突出した部分と突出した第２部分との間の上記中央部に、横方向の一方側にへこんだ部分を一つだけ有した形状となっている。よって、上記係止部を前胴回り部に係止する際には、当該へこんだ部分を、前胴回り部における縦方向の中央部を示す目印として用いながら、当該前胴回り部に後胴回り部を前側から重ねることができる。そして、これにより、前胴回り部と後胴回り部とを縦方向に適正な位置関係で重ねることができる。
【００１７】
かかる吸収性物品であって、
前記前胴回り部は、前記係止部が係止されるべき係止対象部分を有し、
前記前胴回り部において前記係止対象部分よりも前記一方側の部分は、前記横方向の伸縮性を有した伸縮領域を備えているのが望ましい。
【００１８】
このような吸収性物品によれば、前胴回り部への上記係止部の係止後に上記の伸縮領域が横方向に収縮すると、当該係止部は横方向の一方側に引っ張られるが、この引っ張りにより、係止部と前胴回り部との間に横方向の剪断力が付与される。そして、これにより、係止部と前胴回り部との係止力を高めることができて、その結果、吸収性物品の着用中に係止部が前胴回り部から意図せずに外れてしまうことを有効に防ぐことができる。
【００１９】
かかる吸収性物品であって、
前記前胴回り部において前記係止対象部分が設けられた部分は、前記伸縮領域よりも前記横方向の伸縮性が低い低伸縮領域であるのが望ましい。
【００２０】
このような吸収性物品によれば、前胴回り部が横方向の伸縮性を有するようにしながらも、当該伸縮性に伴って生じ得る係止対象部分の皺を確実に抑制することができて、これにより、当該係止対象部分を略平坦状に維持可能となる。そして、その結果、当該係止対象部分上に、上記係止部との係止に寄与する面積を大きく確保することができて、これにより、前胴回り部と係止部との係止力を高めることができる。
【００２１】
かかる吸収性物品であって、
前記突出した部分のうちで最も前記他方側に突出した最大突出部分は、前記前胴回り部における前記他方側の前記端部の前記縦方向の上端よりも下側に位置しているのが望ましい。
【００２２】
このような吸収性物品によれば、前胴回り部における他方側の端部の縦方向の上端よりも下側の位置で、上記の突出した部分は、最も他方側に突出している。よって、上端で最も突出している場合と比べて、鋭利なイメージを軽減することができて、これにより、着用者又は着用者に吸収性物品を装着する母親等の着用作業者に安心感を与えることができる。
また、前胴回り部に上記の係止部を係止すべく後胴回り部を前胴回り部における他方側の端部に重ねる際に、後胴回り部が前胴回り部の適正位置よりも下方にずれてしまうことが考えられる。しかし、上述のように最大突出部分を上端よりも下側に位置させておけば、当該最大突出部分が後胴回り部に重なった状態となる確率を高めることができる。そして、これにより、当該他方側の端部は、後胴回り部との接触面積を大きく確保し易くなる。
【００２３】
かかる吸収性物品であって、
前記最大突出部分及びその周辺部分の輪郭は、曲線で形成されているのが望ましい。
【００２４】
このような吸収性物品によれば、上記の最大突出部分及びその周辺部分を見た者が感じる鋭利なイメージを軽減することができる。よって、着用者又は当該着用者に吸収性物品を装着する母親等の着用作業者に安心感を与えることができる。
【００２５】
かかる吸収性物品であって、
前記後胴回り部において前記股下部よりも前記他方側の部分は、前記横方向の伸縮性を有した伸縮領域を備えており、
前記係止部が前記前胴回り部に係止された状態においては、前記後胴回り部の前記伸縮領域が、前記前胴回り部に重なるのが望ましい。
【００２６】
このような吸収性物品によれば、前胴回り部への上記係止部の係止後に後胴回り部の伸縮領域が横方向に収縮すると、当該伸縮領域には縦方向に沿った複数の皺が横方向に並んで生じるが、ここで、これらの皺は、当該伸縮領域が重なる前胴回り部に当接する。よって、当該皺に基づいて、伸縮領域が前胴回り部に引っ掛かり易くなる。そして、このことも、前胴回り部への上記係止部の係止後に起こり得る前胴回り部と後胴回り部との位置ずれの防止に有効に寄与する。
【００２７】
かかる吸収性物品であって、
前記係止部は、雄材が係止可能な雌材を有し、
前記前胴回り部における前記前後方向の前側の面には、前記雌材が係止されるべき係止対象部分として前記雄材が設けられており、
前記雌材を前記雄材に係止した状態では、前記後胴回り部が前側から前記前胴回り部に重なった状態となっているのが望ましい。
【００２８】
このような吸収性物品によれば、雄材は、前胴回り部における前側の部分に設けられている。よって、当該雄材に上記係止部の雌材を係止すべく後胴回り部を前側から前胴回り部に重ねる際に、雄材で着用者の肌を傷つけてしまうことを防ぐことができる。
【００２９】
かかる吸収性物品であって、
前記前後方向から見た場合に、前記前胴回り部において前記股下部と重なる部分には、前記係止部が係止されるべき係止対象部分が設けられているのが望ましい。
【００３０】
このような吸収性物品によれば、上記の係止対象部分の剛性を、前胴回り部の剛性だけでなく股下部の剛性によっても補うことができて、これにより、当該係止対象部分には皺が寄り難くなる。そのため、当該係止対象部分に皺が寄った場合に起こり得る問題、すなわち当該皺に起因して係止対象部分上において係止に寄与する面積が減少してしまって、上記係止部に対する係止力が小さくなってしまうという問題を有効に防ぐことができる。
【００３１】
かかる吸収性物品であって、
前記突出した部分の中心線は、前記他方側且つ上方を向いているのが望ましい。
【００３２】
このような吸収性物品によれば、上記突出した部分の中心線は、他方側且つ上方を向いている。よって、前胴回り部における他方側の端部を他方側且つ上方へ引っ張る際に、同端部をより一層手で掴み易くなる。
また、上記の中心線が、他方側且つ上方を向いているので、当該端部を手で掴んで引っ張る者に、横方向の他方側に引っ張るだけでなく上方にも引っ張るべきである旨を連想させることができる。よって、当該端部を他方側且つ上方に確実に引っ張ることができる。
【００３３】
かかる吸収性物品であって、
前記後胴回り部における前記他方側の端部には、前記後胴回り部とは別部材として前記係止部が接合部で接合されていて、当該係止部は、前記端部よりも前記他方側に突出しており、
前記前胴回り部の前記突出した部分において前記中央部よりも前記他方側に位置する部分の前記横方向の大きさは、前記後胴回り部の前記係止部において前記接合部よりも前記他方側に位置する部分の前記横方向の大きさよりも小さいのが望ましい。
【００３４】
このような吸収性物品によれば、上記突出した部分の横方向の大きさを比較的小さくすることができる。よって、当該突出した部分が横方向に大きい場合に起こり得る不具合、すなわち、同突出した部分の曲げ剛性が小さくなることに起因して当該突出した部分が折れ曲がり易くなるという不具合を有効に防ぐことができる。そして、その結果、当該突出した部分が折れ曲がった状態で吸収性物品が着用されて着用者にごわつき等の違和感を感じさせてしまうことを防ぐことができる。
【００３５】
＝＝＝本実施形態＝＝＝
本実施形態の吸収性物品は使い捨ておむつ１である。また、同おむつ１の着用者は新生児や乳幼児等である。
図３は、当該おむつ１の概略斜視図である。
このおむつ１は、図３のような着用前の片開きパンツ型状態において、「縦方向」と、縦方向と直交する「横方向」と、縦方向及び横方向と直交する「前後方向」と、を有している。そして、同おむつ１の着用中に、縦方向は、上下方向を向いていることが多い。そのため、以下では、縦方向のことを「上下方向」とも言う。
なお、上下方向については、上側が、着用者の胴回り側に対応し、下側が、着用者の股下側に対応している。また、前後方向については、前側が着用者の腹側に対応し、後側が着用者の背側に対応している。更に、横方向については、一方側が着用者の左側に対応し、他方側が着用者の右側に対応している。なお、以下の説明で、単に「一方側」及び「他方側」と言う場合には、横方向の一方側及び他方側を指しているものとする。
【００３６】
図３の片開きパンツ型状態においては、おむつ１は、横方向に沿った前胴回り部２０と、この前胴回り部２０の後側に位置しつつ、当該前胴回り部２０と共同して、縦方向の上側に胴回り開口ＢＨを形成するための横方向に沿った後胴回り部３０と、前胴回り部２０と後胴回り部３０との間に設けられた股下部としての吸収性本体１０と、を備えている。そして、吸収性本体１０は、前胴回り部２０及び後胴回り部３０よりも縦方向の下方に突出して位置している。
また、前胴回り部２０における横方向の一方側の端部２０ｅＷ１と後胴回り部３０における横方向の一方側の端部３０ｅＷ１とは、接合部ｊ１で接合されている。そして、これにより、前胴回り部２０及び後胴回り部３０が、吸収性本体１０と共同して、横方向の一方側且つ下側の位置に脚回り開口ＬＨ１を一つ形成している。ちなみに、接合部ｊ１は、溶着又は接着等で形成されている。
更に、後胴回り部３０における横方向の他方側の端部３０ｅＷ２には、前胴回り部２０における前側の面に係止可能な係止部４０が設けられている。そして、図３中に２点鎖線で仮想的に示すように、当該係止部４０が前胴回り部２０の上記前側の面に係止されることで、前胴回り部２０と後胴回り部３０とが共同して上側に胴回り開口ＢＨを形成するとともに、前胴回り部２０と後胴回り部３０と吸収性本体１０とが共同することで、他方側且つ下側の位置にも脚回り開口ＬＨ２を一つ形成する。そして、これにより、当該おむつ１は、着用者に着用された状態となる。
【００３７】
図４Ａは、展開状態のおむつ１を着用者の非肌側から見た概略平面図である。また、図４Ｂは、図４Ａ中のＢ−Ｂ断面図である。
ここで、展開状態とは、図３の片開きパンツ型状態のおむつ１が横方向の一方側に有する前述の接合部ｊ１の接合を解くことで、前胴回り部２０と後胴回り部３０とを分離するとともに、おむつ１を縦方向に開くことで、おむつ１を平面上に展開した状態のことである。
また、この展開状態においては、おむつ１を構成する各部材の伸縮性が皆無であるという仮想的状態で同おむつ１を示している。例えば、この例では、おむつ１には、同おむつ１に伸縮性を付与する目的で複数の弾性部材１６，２３，３３が設けられているが、この展開状態では、かかる弾性部材１６，２３，３３の伸縮性（収縮力）が全く無いという仮想的状態で同おむつ１を示している。
【００３８】
展開状態においては、おむつ１は、互いに直交する三方向として長手方向と横方向と厚さ方向（図４Ａでは紙面を貫通する方向）とを有している。なお、長手方向は、前述の縦方向に沿っている。そして、長手方向の一方側が腹側に対応し、他方側が背側に対応している。また、長手方向の外側が、縦方向の上側に対応し、長手方向の内側が、縦方向の下側に対応している。そして、このように長手方向と縦方向とは互いに似通った方向であることから、以下では、説明の都合上、この展開状態においても、長手方向に代えて縦方向を用いて説明することもある。一方、横方向は、前述の片開きパンツ型状態における横方向と同義である。また、厚さ方向については、一方側が、着用者の身体に接する肌側に対応し、他方側が、その逆側の非肌側に対応している。なお、厚さ方向は、前述の前後方向に沿っている。そのため、以下では、説明の都合上、この展開状態においても、厚さ方向に代えて前後方向を用いて説明することもある。
【００３９】
図４Ａの展開状態においては、前胴回り部２０は、横方向に沿って配されており、また、後胴回り部３０は、前胴回り部２０と長手方向に所定の間隔をあけた位置で、横方向に沿って配されている。そして、これら前胴回り部２０と後胴回り部３０との間に吸収性本体１０が長手方向に沿って掛け渡されつつ、同吸収性本体１０の長手方向の各端部１０ｅａ，１０ｅｂが、それぞれ最寄りの胴回り部２０，３０に接合固定されていて、これにより、その外観形状は、平面視略Ｈ型状をなしている。
【００４０】
吸収性本体１０は、図４Ａの展開状態において平面視略長方形状をなしている。そして、吸収性本体１０の長手方向が、おむつ１の長手方向に沿うように配されている。また、図４Ｂに示すように、吸収性本体１０は、吸収体１１と、同吸収体１１を肌側から覆って設けられたトップシート１３と、同吸収体１１を非肌側から覆って設けられたバックシート１５と、を備えている。
【００４１】
吸収体１１は、液体吸収性の吸収性コア１１ｃと、同コア１１ｃの外周面を被覆する不図示のコアラップシートと、を有する。吸収性コア１１ｃは、所定の液体吸収性素材を所定形状の一例としての平面視略砂時計形状に成形した成形体である。液体吸収性素材としては、パルプ繊維等の液体吸収性繊維や、高吸収性ポリマー（所謂ＳＡＰ）等の液体吸収性粒状物を例示できる。また、コアラップシートには、ティッシュペーパーや不織布等の液透過性シートを使用可能であるが、コアラップシートについては無くても良い。また、吸収性コア１１ｃの形状は、何等上記の平面視略砂時計形状に限らず、他の形状でも良い。
【００４２】
トップシート１３は、不織布等の液透過性の柔軟なシートである。また、バックシート１５は、液不透過性の柔軟なシートである。そして、同バックシート１５の一例としては、ポリエチレンフィルムやポリプロピレンフィルム等の液不透過性の防漏シート１５ａと、防漏シート１５ａの非肌側に貼り合わされた不織布製の外装シート１５ｂとを有した二層構造のラミネートシート１５が挙げられる（図４Ｂ）。
【００４３】
なお、図４Ａに示すように、少なくともバックシート１５は、吸収体１１から長手方向及び横方向に突出するような平面サイズのシートである。そして、横方向に突出した部分に、それぞれ長手方向に伸縮するレッグギャザーＬＧが形成されている。すなわち、当該突出した部分には、長手方向に沿って糸ゴム等の複数の弾性部材１６，１６…が長手方向に伸長した状態で固定されていて、これにより、当該部分に伸縮性のレッグギャザーＬＧが形成されている。
【００４４】
後胴回り部３０は、同図４Ａに示すように、不織布等の柔軟なシートを素材とした平面視略矩形形状のシート部材である。この例では、図４Ｂに示すように、不織布３１，３２を二枚重ねに接合することで後胴回り部３０は形成されている。そして、図４Ａに示すように、当該後胴回り部３０は、吸収性本体１０よりも横方向の両側に突出するように配されつつ、同吸収性本体１０における背側の端部１０ｅｂに非肌側から重ねられて接合されている。
【００４５】
また、図４Ａ及び図４Ｂに示すように、後胴回り部３０に係る２枚の不織布３１，３２同士の間には、横方向に沿った糸ゴム等の複数の弾性部材３３，３３…が縦方向に並んで介挿されつつ、横方向に伸長した状態で同不織布３１，３２に接合固定されている。そして、これにより、後胴回り部３０には、横方向の伸縮性が付与されている。
【００４６】
詳しくは、図４Ａに示すように、かかる弾性部材３３，３３…は、後胴回り部３０の縦方向の上端部３０ｅｕについては、概ね横方向の一方側の端から他方側の端までに亘って連続して配置されている。一方、後胴回り部３０のうちで上端部３０ｅｕよりも下側の部分３０ｄについては、弾性部材３３は、横方向の一部で非連続となるように配されている。すなわち、当該下側の部分３０ｄのうちで吸収性コア１１ｃの横方向の中央部と重なる部分３０ｃについては、弾性部材３３が配置されていないが、当該部分３０ｃよりも横方向の一方側及び他方側の部分３０ｗ１，３０ｗ２については、それぞれ、横方向に沿った弾性部材３３が縦方向に複数並んで配置されている。そして、これにより、吸収性コア１１ｃの横方向の端部１１ｃｅと重なる部分にも弾性部材３３が配置されている。しかし、何等これに限らない。例えば、当該下側の部分３０ｄにおいて吸収性コア１１ｃと重なる部分に弾性部材３３を全く配置しなくても良い。
【００４７】
更に、図４Ａに示すように、後胴回り部３０における横方向の他方側の端部３０ｅＷ２には、後胴回り部３０とは別部材として、前述の係止部４０が、接合部ｊ２で接合されている。係止部４０は、後胴回り部３０と同様に不織布等の柔軟なシートからなり、本実施形態では、２枚の不織布４１，４２を貼り合わせたものである。そして、かかる不織布４１，４２製の係止部４０は、前述の係止の際に雌材として機能する。すなわち、かかる係止部４０を、前胴回り部２０の後述の係止対象部分５０の雄材５０に引っ掛けて、当該係止部４０を前胴回り部２０に係止する。なお、接合部ｊ２は、溶着又は接着等で形成されている。
【００４８】
また、図４Ａ中には、後胴回り部３０における横方向の中心位置を示す中心線ＣＬ３０も示しているが、この中心線ＣＬ３０は、後述の図５Ａの着用者が一方側の脚ＭＬ１をおむつ１の一方側の脚回り開口ＬＨ１に入れた状態において、着用者の身体における横方向の中心位置ＣＬＭと一致するように設計されている。しかし、図４Ａを参照してわかるように、当該中心線ＣＬ３０は、吸収性本体１０における横方向の中心位置を示す中心線ＣＬ１０に対しては横方向にずれている。詳しくは横方向の他方側にずれているが、このようにすることで、おむつ１を着用者に装着すべく後述の図５Ｂに示すように後胴回り部３０の係止部４０で横方向の他方側へ引っ張った際に、吸収性本体１０の中心線ＣＬ１０が、着用者の身体の中心位置ＣＬＭに一致するようにしている。
【００４９】
一方、前胴回り部２０も、同図４Ａに示すように不織布等の柔軟なシートを素材とした平面視略矩形形状のシート部材である。この例では、図４Ｂに示すように、不織布２１，２２を二枚重ねに接合することで前胴回り部２０は形成されている。そして、図４Ａに示すように、当該前胴回り部２０は、吸収性本体１０よりも横方向の両側に突出するように配されつつ、同吸収性本体１０における腹側の端部１０ｅａに非肌側から重ねられて接合されている。
【００５０】
また、図４Ａ及び図４Ｂに示すように、前胴回り部２０に係る２枚の不織布２１，２２同士の間にも、横方向に沿った糸ゴム等の複数の弾性部材２３，２３…が縦方向に並んで介挿されつつ、横方向に伸長した状態で同不織布２１，２２に接合固定されている。そして、これにより、前胴回り部２０には、横方向の伸縮性が付与されている。
【００５１】
詳しくは、かかる弾性部材２３は、前胴回り部２０のうちで吸収性コア１１ｃの横方向の中央部よりも横方向の一方側の部分２０ｗ１にのみ設けられていて、前胴回り部２０において吸収性コア１１ｃの横方向の中央部に相当する部分２０ｃ及び同部分２０ｃよりも横方向の他方側の部分２０ｗ２には設けられていない。よって、前胴回り部２０については、かかる一方側の部分２０ｗ１にのみ横方向の伸縮性が付与されていて、上記他方側の部分２０ｗ２については伸縮性が付与されていない。
【００５２】
また、当該他方側の部分２０ｗ２の非肌側面（前後方向で言えば、前述の前側の面に相当）には、前述の係止部４０と係止する係止対象部分５０が設けられている。係止対象部分５０は、例えば面ファスナーの雄材５０である。すなわち、同雄材５０の略矩形状の非肌側面には、複数の係止用突起（不図示）が設けられている。よって、これら係止用突起が、前述の不織布４１，４２で形成された係止部４０の繊維に引っ掛かることにより、係止部４０が係止対象部分５０に係止される。なお、係止用突起の形状例としては、釣り針型やキノコ型等を挙げることができる。
【００５３】
図５Ａ乃至図５Ｃは、おむつ１の装着手順の説明図である。
先ず、着用者の横方向の一方の脚ＭＬ１をおむつ１の一方側の脚回り開口ＬＨ１に入れる。そして、図５Ａに示すように、当該脚回り開口ＬＨ１の一部をなす吸収性本体１０が上記一方の脚ＭＬ１の鼠蹊部ＭＬ１Ｐに当たるように着用者の股間（股下）の方へ同おむつ１を引き上げる。そうしたら、図５Ｂの状態を経て図５Ｃの如く、後胴回り部３０における横方向の他方側の端部３０ｅＷ２の係止部４０を前胴回り部２０の雄材５０に係止する。すると、これにより、他方の脚ＭＬ２を覆うように他方側の脚回り開口ＬＨ２が形成されるとともに、着用者の胴回りを覆うように胴回り開口ＢＨが形成される。そして、着用者へのおむつ１の装着作業が終了する。
【００５４】
但し、冒頭で説明したように、図５Ｂの係止部４０を図５Ｃに示すように前胴回り部２０の雄材５０に係止する際には、図５Ｂの他方の脚ＭＬ２の鼠蹊部ＭＬ２Ｐでの漏れ防止の観点から、当該鼠蹊部ＭＬ２Ｐに吸収性本体１０が当接するように、前胴回り部２０における他方側の端部２０ｅＷ２及び後胴回り部３０における他方側の端部３０ｅＷ２の係止部４０をそれぞれ各手で掴んで、同図５Ｂ中の矢印の方向たる他方側且つ上方に引っ張る必要がある。すなわち、単に横方向の他方側にだけ引っ張るのではなく、上方にも引っ張る必要がある。
【００５５】
そこで、本実施形態では、このような横方向の他方側且つ上方への引っ張り操作を行い易い形状に、前胴回り部２０における他方側の端部２０ｅＷ２は形成されている。図６は、その説明図であって、図４Ａ中の前胴回り部２０の概略拡大図である。
【００５６】
同図６に示すように、前胴回り部２０における他方側の端部２０ｅＷ２は、同端部２０ｅＷ２における縦方向の中央部２０ｅＷ２ｃよりも横方向の他方側に突出した部分２０ｅＷ２ｐａを、当該中央部２０ｅＷ２ｃよりも縦方向の上側の位置に有している。
【００５７】
よって、当該端部２０ｅＷ２を他方側且つ上方へ引っ張る際には、当該突出した部分２０ｅＷ２ｐａも速やかに掴むことができて、これにより、同端部２０ｅＷ２を手で掴み易くなる。
また、図５Ｃのように前胴回り部２０の雄材５０に後胴回り部３０の係止部４０を係止した状態においては、後胴回り部３０は、前胴回り部２０における上記他方側の端部２０ｅＷ２に前側から重なった状態となるが、その際に、当該他方側の端部２０ｅＷ２が上記の突出した部分２０ｅＷ２ｐａを有していない場合と比べて、当該突出した部分２０ｅＷ２ｐａの面積分、当該他方側の端部２０ｅＷ２は、後胴回り部３０との接触面積を大きく確保することができる。そして、これにより、上記係止部４０の係止後に起こり得る前胴回り部２０と後胴回り部３０との位置ずれを有効に防ぐことができる。
【００５８】
なお、ここで、図６に示すように上記の突出した部分２０ｅＷ２ｐａのうちで最も横方向の他方側に突出した部分２０ｅＷ２ｐａｍのことを「最大突出部分２０ｅＷ２ｐａｍ」と言った場合に、望ましくは、この最大突出部分２０ｅＷ２ｐａｍが、上記の他方側の端部２０ｅＷ２における縦方向の上端２０ｅＷ２ｅｕよりも下側に位置していると良い。この例では、最大突出部分２０ｅＷ２ｐａｍ及びその周辺部分の輪郭が、他方側に凸の略円弧形状の曲線で形成されていて、これにより、上記のような位置関係が実現されている。
【００５９】
そして、このようになっていれば、図７の例のように上端２０ｅＷ２ｅｕで最も突出している場合と比べて、見た目の鋭利なイメージを軽減することができて、これにより、着用者又は着用作業者に安心感を与えることができる。また、図６に示すように最大突出部分２０ｅＷ２ｐａｍ及びその周辺部分の輪郭が上述のような曲線で形成されていることも、上記の鋭利なイメージの軽減に有効に寄与する。
更に、図５Ｃに示すように前胴回り部２０の雄材５０に係止部４０を係止すべく後胴回り部３０を前胴回り部２０における他方側の端部２０ｅＷ２に重ねる際に、後胴回り部３０が前胴回り部２０の適正位置よりも下方にずれてしまうことが考えられる。しかし、図６を参照して上述したように最大突出部分２０ｅＷ２ｐａｍを上端２０ｅＷ２ｅｕよりも下側に位置させておけば、当該最大突出部分２０ｅＷ２ｐａｍが後胴回り部３０に重なった状態となる確率を高めることができる。そして、これにより、当該他方側の端部２０ｅＷ２は、後胴回り部３０との接触面積を大きく確保し易くなる。
【００６０】
ちなみに、上記の鋭利なイメージの軽減効果を奏さなくても良い場合には、上記の最大突出部分２０ｅＷ２ｐａｍ及びその周辺部分の形状を多角形としたり、直線と曲線とを組み合わせた複合形状とすることもできる。
【００６１】
また、図６において上記突出した部分２０ｅＷ２ｐａの突出方向を示すものとして、当該部分２０ｅＷ２ｐａの中心線ＣＬ２０ｅＷ２ｐａに着目した場合に、望ましくは、当該中心線ＣＬ２０ｅＷ２ｐａが横方向の他方側且つ上方を向いていると良い。
【００６２】
そして、このようになっていれば、前胴回り部２０における他方側の端部２０ｅＷ２を他方側且つ上方へ引っ張る際に、同端部２０ｅＷ２をより一層手で掴み易くなる。また、当該端部２０ｅＷ２を手で掴んで引っ張る者に、横方向の他方側に引っ張るだけでなく上方にも引っ張るべきである旨を連想させることができて、これにより、上記の引っ張る者は、当該端部２０ｅＷ２を他方側且つ上方に確実に引っ張るようになる。
【００６３】
但し、何等これに限らない。例えば、上記の作用効果を奏さなくても良い場合には、当該中心線ＣＬ２０ｅＷ２ｐａの方向が、横方向と平行な方向を向いていても良い。
【００６４】
更に、当該突出した部分２０ｅＷ２ｐａにおいて上記中央部２０ｅＷ２ｃよりも横方向の他方側に位置する部分の横方向の大きさＬ２０ｅＷ２ｐａ（図６）に注目した場合に、望ましくは、当該大きさＬ２０ｅＷ２ｐａが、後胴回り部３０の係止部４０において前述の接合部ｊ２よりも横方向の他方側に位置する部分の横方向の大きさＬ４０（図４Ａ）よりも小さくなっていると良い。
【００６５】
そして、このようになっていれば、上記の突出した部分２０ｅＷ２ｐａの横方向の大きさＬ２０ｅＷ２ｐａ（図６）を、比較的小さくすることができて、これにより、当該突出した部分２０ｅＷ２ｐａが横方向に大きい場合に起こり得る不具合を防ぐことができる。すなわち、同突出した部分２０ｅＷ２ｐａの曲げ剛性が小さくなることに起因して当該突出した部分２０ｅＷ２ｐａがカール状に横方向に折れ曲がり易くなるという不具合を防ぐことができる。そして、その結果、当該突出した部分２０ｅＷ２ｐａが横方向の所定位置ＰＢ(図６)で折れ曲がった状態でおむつ１が着用されて着用者にごわつき等の違和感を感じさせてしまうことを有効に防ぐことができる。
【００６６】
但し、何等これに限らない。例えば、上記の作用効果を奏さなくても良い場合には、大小関係が上述の逆になっていても良い。
【００６７】
また、この突出した部分２０ｅＷ２ｐａが横方向の上記所定位置ＰＢ（図６）で折れ曲がってしまう場合には、当該折れ曲がり位置ＰＢよりも横方向の他方側の部分２０ｅＷ２ｐａ２が、横方向の一方側の部分２０ｅＷ２ｐａ１の肌側に位置するように折れ返るよりも、非肌側に位置するように折れ返るのが望ましい。そして、このように折れ返れば、最大突出部分２０ｅＷ２ｐａｍを有する上記他方側の部分２０ｅＷ２ｐａ２たる折れ返り部分２０ｅＷ２ｐａ２が、上記一方側の部分２０ｅＷ２ｐａ１を介して着用者の肌に押し付けられるので、着用者の肌へのストレスを軽減可能となる。
【００６８】
ちなみに、このように折れ曲がるようにすることの実現は、次のようにしてなすことができる。すなわち、前胴回り部２０を構成する２枚の不織布２１，２２のうちで肌側に位置する不織布２１が横方向の所定位置ＰＢで曲がる際の曲げ剛性値を、非肌側に位置する不織布２２が上記所定位置ＰＢで曲がる際の曲げ剛性値よりも大きくすれば良い。なお、曲げ剛性値については、例えばガーレ法（日本工業規格ＪＩＳ  Ｌ１０８５）で測定することができる。また、上記のような曲げ剛性値の大小関係にすることについては、例えば、肌側の不織布２１の坪量（ｇ／ｍ2）を、非肌側の不織布２２の坪量（ｇ／ｍ2）よりも大きくすることで実現可能である。
【００６９】
また、望ましくは、図６に示すように、当該他方側の端部２０ｅＷ２が、同端部２０ｅＷ２における縦方向の中央部２０ｅＷ２ｃよりも下側の位置に、当該中央部２０ｅＷ２ｃよりも横方向の他方側に突出した第２部分２０ｅＷ２ｐｂを有していると良い。
【００７０】
そして、このようになっていれば、当該他方側の端部２０ｅＷ２は、後胴回り部３０との接触面積をより一層大きく確保することができて、これにより、上記係止部４０の係止後に起こり得る前胴回り部２０と後胴回り部３０との位置ずれをより有効に防ぐことができる。また、この例では、前述の突出した部分２０ｅＷ２ｐａと同じく、この第２部分２０ｅＷ２ｐｂにおける最大突出部分２０ｅＷ２ｐｂｍ及びその周辺部分の輪郭についても、他方側に凸の略円弧形状の曲線で形成されている。よって、見た目の鋭利なイメージを軽減することができて、このことも、着用者又は着用作業者に安心感を与えることに有効に寄与する。
【００７１】
但し、何等これに限らない。例えば、鋭利なイメージの軽減効果を奏さなくても良い場合には、上記の最大突出部分２０ｅＷ２ｐｂｍ及びその周辺部分の形状を多角形としたり、直線と曲線とを組み合わせた複合形状とすることもできる。また、位置ずれ防止効果を奏さなくても良い場合には、図８の例のように、当該第２部分２０ｅＷ２ｐｂ自体を、横方向の他方側の端部２０ｅＷ２に設けないようにしても良い。
【００７２】
更に、望ましくは、図６に示すように、当該他方側の端部２０ｅＷ２は、上記の突出した部分２０ｅＷ２ｐａ及び上記の突出した第２部分２０ｅＷ２ｐｂを一つずつ有していると良い。
【００７３】
そして、このようになっていれば、当該他方側の端部２０ｅＷ２は、突出した部分２０ｅＷ２ｐａと突出した第２部分２０ｅＷ２ｐｂとの間の上記中央部２０ｅＷ２ｃに、横方向の一方側にへこんだ部分２０ｅＷ２ｈを一つだけ有した形状となっている。よって、上記係止部４０を前胴回り部２０に係止する際には、当該へこんだ部分２０ｅＷ２ｈを、前胴回り部２０における縦方向の中央部２０ｅＷ２ｃを示す目印として用いながら、当該前胴回り部２０に後胴回り部３０を前側から重ねることができる。そして、これにより、前胴回り部２０と後胴回り部３０とを縦方向に適正な位置関係で重ねることができる。
【００７４】
ところで、この図６の例では、前述したように前胴回り部２０には弾性部材２３，２３…が設けられていて、これにより、横方向の伸縮性が付与されている。すなわち、前胴回り部２０において弾性部材２３，２３…が設けられた部分は、横方向の伸縮性を有した伸縮領域ＡＥＬとして機能する。そして、図５Ｃのような前胴回り部２０の雄材５０への上記係止部４０の係止後に上記伸縮領域ＡＥＬが横方向に収縮すると、当該係止部４０は横方向の一方側に引っ張られるが、この引っ張りにより、係止部４０と前胴回り部２０の雄材５０との間に横方向の剪断力が付与される。
よって、係止部４０と前胴回り部２０の雄材５０との係止力を高めることができて、その結果、おむつ１の着用中に係止部４０が前胴回り部２０の雄材５０から意図せずに外れてしまうことを有効に防ぐことができる。
【００７５】
ここで、望ましくは、同図６に示すように、かかる弾性部材２３，２３…が、前胴回り部２０において雄材５０が設けられた部分よりも横方向の一方側にのみ設けられていると良い。そして、このようになっていれば、前胴回り部２０において雄材５０が設けられた部分は、前胴回り部２０が有する前述の伸縮領域ＡＥＬよりも横方向の伸縮性が低い低伸縮領域ＡＮＥＬに含まれていることになる。より正確には、伸縮性が無い非伸縮領域ＡＮＥＬに含まれていることになる。
【００７６】
よって、当該前胴回り部２０を、横方向の伸縮性を有するように構成しながらも、同前胴回り部２０において雄材５０が設けられた部分については伸縮性が無いようにすることができて、これにより、当該部分に伸縮性がある場合に生じ得る雄材５０の縦方向に沿った皺を確実に抑制することができる。つまり、当該雄材５０を略平坦状に維持可能となる。そして、その結果、当該雄材５０上に、上記係止部との係止に寄与する面積を大きく確保することができて、これにより、雄材５０と係止部４０との係止力を高めることができる。また、雄材５０の皺を抑制できることから、雄材５０の係止用突起の向きを全ての係止用突起について設計上の適正な向きに揃えることができて、このことも、上記の係止力の向上に有効に寄与する。
【００７７】
また、望ましくは、同図６に示すように、厚さ方向（前後方向でもあり、図６中では紙面を貫通する方向）から見た場合に、雄材５０が、前胴回り部２０において吸収性本体１０と重なる部分に設けられていると良い。
【００７８】
そして、このようになっていれば、当該雄材５０の剛性を、前胴回り部２０の不織布２１，２２の剛性だけでなく吸収性本体１０の剛性によっても補うことができて、これにより、雄材５０には、より皺が寄り難くなる。
【００７９】
ちなみに、この図６の例では、雄材５０における上端部５０ｅｕが、吸収性本体１０よりも上方に突出していて同本体１０に重なっていないが、より望ましくは、雄材５０の全部が、吸収性本体１０に重なっていると良い。
【００８０】
また、この図６の例では、厚さ方向（前後方向）から見た場合に、吸収性本体１０において吸収性コア１１ｃが位置していない部分に重なるように雄材５０が設けられているが、何等これに限らない。すなわち、当該吸収性コア１１ｃにも重なるように雄材５０を設けても良い。そして、このようにすれば、同コア１１ｃの大きな剛性によっても、雄材５０の剛性を補うことができて、これにより、同雄材５１の皺をより一層抑制可能となる。ちなみに、その場合には、雄材５０の少なくとも一部が、同コア１１ｃに重なるようにしても良いが、望ましくは、雄材５０の全部が、同コア１１ｃに重なるようにすると良い。
【００８１】
一方、この例では、図４Ａを参照して前述したように、後胴回り部３０にも弾性部材３３，３３…が設けられていて、これにより、当該後胴回り部３０にも横方向の伸縮性が付与されている。すなわち、後胴回り部３０において弾性部材３３，３３…が設けられた部分は、横方向の伸縮性を有した伸縮領域ＡＥＬとして機能する。そして、かかる伸縮領域ＡＥＬは、後胴回り部３０において吸収性本体１０よりも横方向の他方側の部分３０ｐｓ２にも位置している。また、当該他方側の部分３０ｐｓ２は、図５Ｃのように係止部４０を雄材５０に係止した状態では、前側から前胴回り部２０に重なっている。
【００８２】
よって、前胴回り部２０の雄材５０への上記係止部４０の係止後に、後胴回り部３０における上記他方側の部分３０ｐｓ２が横方向に収縮すると、当該部分３０ｐｓ２には縦方向に沿った皺が横方向に複数並んで生じるが、ここで、これらの皺は、同部分３０ｐｓ２が重なる前胴回り部２０に当接する。そのため、当該皺に基づいて、同部分３０ｐｓ２が前胴回り部２０に引っ掛かり易くなる。よって、このことも、前胴回り部２０への上記係止部４０の係止後に起こり得る前胴回り部２０と後胴回り部３０との位置ずれの防止に有効に寄与する。
【００８３】
＝＝＝その他の実施の形態＝＝＝
以上、本発明の実施形態について説明したが、上述の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８４】
上述の実施形態では、図４Ａに示すように、後胴回り部３０の係止部４０として不織布４１，４２製の雌材を例示したが、何等これに限らない。すなわち、片面に複数のループが突出した所謂面ファスナーの雌材を使用しても良い。
【００８５】
上述の実施形態では、図３に示すように前胴回り部２０の前側の面には、係止対象部分として雄材５０が設けられているとともに、後胴回り部３０には、係止部４０として不織布４１，４２製の雌材が設けられていたが、何等これに限らず、雄材と雌材との配置関係を逆にしても良い。すなわち、図９Ａに示すように、前胴回り部２０の前側の面に係止対象部分５０として不織布の雌材５５を設ける一方、後胴回り部３０の係止部４０として雄材４５を設けても良い。但し、この構成の場合には、図９Ａの状態から図９Ｂの状態へと、後胴回り部３０の上記雄材４５を、前胴回り部２０の雌材５５に係止すべく後胴回り部３０を前側から前胴回り部２０に重ねる際に、当該後胴回り部３０の雄材４５で着用者の肌を傷つけてしまう恐れがある。そのため、このような不具合を防ぐ観点からは、図３のような本実施形態の配置関係で雄材５０及び雌材４０を配置するのが好ましい。
【００８６】
上述の実施形態においては、図４Ａに示すように吸収性物品の一例として所謂３ピースタイプの使い捨ておむつ１を例示した。すなわち、同おむつ１では、前胴回り部２０と後胴回り部３０と股下部たる吸収性本体１０とが互いに別部材であったが、何等これに限られない。例えば、後胴回り部と前胴回り部とを股下を介して一体化した外装シートを第１部品とし、また外装シートの肌側面に固定される吸収性本体１０を第２部品として有した所謂２ピースタイプの使い捨ておむつであっても良い。
【００８７】
上述の実施形態では、弾性部材１６，２３，３３の一例として糸ゴムを例示したが、何等これに限らない。例えば、不織布やフィルム等の素材自体に伸縮性が発現されたシートを弾性部材１６，２３，３３として使用しても良い。
【符号の説明】
【００８８】
１  使い捨ておむつ（吸収性物品）、
１０  吸収性本体（股下部）、１０ｅａ  端部、１０ｅｂ  端部、
１１  吸収体、１１ｃ  吸収性コア、１１ｃｅ  端部、
１３  トップシート、
１５  バックシート、１５ａ  防漏シート、１５ｂ  外装シート、
１６  弾性部材、
２０  前胴回り部、
２０ｅＷ１  一方側の端部、
２０ｅＷ２  他方側の端部、
２０ｅＷ２ｃ  中央部、２０ｅＷ２ｅｕ  上端、
２０ｅＷ２ｈ  部分、
２０ｅＷ２ｐａ  他方側に突出した部分、
２０ｅＷ２ｐａｍ  最大突出部分、
２０ｅＷ２ｐａ１  一方側の部分、２０ｅＷ２ｐａ２  他方側の部分、
２０ｅＷ２ｐｂ  他方側に突出した第２部分、
２０ｅＷ２ｐｂｍ  最大突出部分、
２０ｃ  部分、２０ｗ１  一方側の部分、２０ｗ２  他方側の部分、
２１  不織布、２２  不織布、２３  弾性部材、
３０  後胴回り部、
３０ｅｕ  上端部、３０ｃ  下側の部分、
３０ｅＷ１  一方側の端部、３０ｅＷ２  他方側の端部、
３０ｃ  部分、３０ｗ１  一方側の部分、３０ｗ１  他方側の部分、
３０ｐｓ２  他方側の部分、
３１  不織布、３２  不織布、３３  弾性部材、
４０  雌材（係止部）、４１  不織布、４２  不織布、
４５  雄材、
５０  雄材（係止対象部分）、５０ｅｕ  上端部、
５５  雌材、
ＢＨ  胴回り開口、ＬＨ１  脚回り開口、ＬＨ２  脚回り開口、
ＬＧ  レッグギャザー、
ｊ１  接合部、ｊ２  接合部、
ＡＥＬ  伸縮領域、ＡＮＥＬ  非伸縮領域（低伸縮領域）、
ＣＬ２０ｅＷ２ｐａ  中心線、
ＣＬ１０  中心線、ＣＬ３０  中心線、ＣＬＭ  中心位置、
ＭＬ１  脚、ＭＬ２  脚、ＭＬ１Ｐ  鼠蹊部、ＭＬ２Ｐ  鼠蹊部、
ＰＢ  折れ曲がり位置（所定位置）、
【図１】
2018102493.tif 000003
【図２】
2018102493.tif 000004
【図３】
2018102493.tif 000005
【図４Ａ】
2018102493.tif 000006
【図４Ｂ】
2018102493.tif 000007
【図５】
2018102493.tif 000008
【図６】
2018102493.tif 000009
【図７】
2018102493.tif 000010
【図８】
2018102493.tif 000011
【図９】
2018102493.tif 000012